(57)【要約】【課題】手乾燥装置から噴出される高圧空気流を清浄化するとともに、手乾燥装置の設置場所の空気を清浄にすることのできる手乾燥装置を得る。【解決手段】高圧空気流を発生する送風機３と、手を挿抜可能に開口し、前記送風機３により発生された高圧空気流を噴出される手挿入部２とを備えた本体部１と、前記手挿入部２の近傍に開口した吹出流吸気口１０と、吹出流吸気口１０から吸い込んだ空気を前記送風機３の上流側に導く通風路１１と、前記通風路１１に設けられて前記吹出流吸気口１０から吸い込んだ空気を清浄化する空気清浄機能部としてのロールフィルタ１２と脱臭フィルタ１４とを備えた。【選択図】図２
2010088621.tif 000002
【特許請求の範囲】
【請求項１】
空気流を発生させる第一の送風機、及び前記第一の送風機により発生された空気流が噴出される手挿入部とを備えた本体部と、
前記手挿入部近傍に開口した第一の吸気口、前記第一の吸気口から吸い込んだ空気を前記第一の送風機の上流側に導く通風路、及び前記通風路に設けられて前記第一の吸気口から吸い込んだ空気を清浄化する空気清浄機能部を備えた空気清浄ユニットとを有する
ことを特徴とする手乾燥装置。
【請求項２】
前記空気清浄機能部の上流側に第一の圧力感知センサを設けるとともに、
前記空気清浄機能部の下流側かつ前記第一の送風機の上流側に第二の圧力感知センサを設け、
前記第一の圧力感知センサと第二の圧力感知センサの出力値の差によって前記空気清浄機能部の劣化状況を検出する
ことを特徴とする請求項１記載の手乾燥装置。
【請求項３】
前記空気清浄機能部の劣化状況に応じて前記第一の送風機の回転数を制御する
ことを特徴とする請求項２記載の手乾燥装置。
【請求項４】
空気流を発生させる第一の送風機、及び前記第一の送風機により発生された空気流が噴出される手挿入部とを備えた本体部と、
前記手挿入部近傍に開口した第一の吸気口、前記第一の吸気口から吸い込んだ空気を前記第一の送風機の上流側に導く通風路、前記通風路に設けられて前記第一の吸気口から吸い込んだ空気を清浄化する空気清浄機能部、及び前記空気清浄機能部の下流側に設けられて前記第一の吸気口から吸い込んだ空気を前記第一の送風機の上流側へ送る第二の送風機を備えた空気清浄ユニットとを有する
ことを特徴とする手乾燥装置。
【請求項５】
前記空気清浄機能部の上流側に第一の圧力感知センサを設けるとともに、
前記空気清浄機能部の下流側かつ前記第二の送風機の上流側に第二の圧力感知センサを設け、
前記第一の圧力感知センサと第二の圧力感知センサの出力値の差によって前記空気清浄機能部の劣化状況を検出する
ことを特徴とする請求項４記載の手乾燥装置。
【請求項６】
前記空気清浄機能部の劣化状況に応じて前記第一の送風機及び第二の送風機の回転数を制御する
ことを特徴とする請求項４または請求項５記載の手乾燥装置。
【請求項７】
前記空気清浄機能部の劣化状況を報知する報知手段を設けた
ことを特徴とする請求項２、請求項３、請求項５、請求項６のいずれかに記載の手乾燥装置。
【請求項８】
前記第一の吸気口は、前記手挿入部に噴出された空気流が手を挿抜することにより前記本体部の外側へ流出する際の風路の出口方向に向けて開口しており、前記本体部の外側へ流出した空気流を吸込み可能である
ことを特徴とする請求項１〜請求項７のいずれかに記載の手乾燥装置。
【請求項９】
前記空気清浄ユニットは、前記空気清浄機能部の上流側に第二の吸気口を備え、
前記第一の送風機の停止中は前記第一の吸気口を閉塞するとともに前記第二の吸気口を開放し、
前記第一の送風機の動作中は前記第一の吸気口を開放するとともに前記第二の吸気口を閉塞する
ことを特徴とする請求項１〜請求項８のいずれかに記載の手乾燥装置。
【請求項１０】
前記空気清浄機能部は、
塵埃を捕集する集塵手段と、前記集塵手段の下流側に設けられた脱臭手段とを有する
ことを特徴とする請求項１〜請求項９のいずれかに記載の手乾燥装置。
【請求項１１】
前記空気清浄ユニットを前記本体部に着脱可能に設けた
ことを特徴とする請求項１〜請求項１０のいずれかに記載の手乾燥装置。
【請求項１２】
前記空気清浄機能部は、前記通風路における空気の流れに対して斜めに交わるようにして着脱可能に取り付けられている
ことを特徴とする請求項１〜請求項１１のいずれかに記載の手乾燥装置。
【請求項１３】
前記通風路の下流側かつ前記第一の送風機の上流側に設けられて前記空気清浄ユニットにより清浄化された空気を室内環境へ排気する排気口を備え、
前記第一の送風機の動作中は前記排気口が閉塞され、
前記第一の送風機の停止中かつ前記第二の送風機の動作中は前記排気口が開放される
ことを特徴とする請求項４〜請求項１２のいずれかに記載の手乾燥装置。
【請求項１４】
前記集塵手段を清掃する清掃手段を備えた
ことを特徴とする請求項１０〜請求項１３のいずれかに記載の手乾燥装置。
【発明の詳細な説明】
【技術分野】
【０００１】
本発明は、洗浄後の濡れた手に空気を吹き付けて衛生的に乾燥させる手乾燥装置に関する。
【背景技術】
【０００２】
洗浄後の濡れた手を乾燥させる装置として、高速空気流により手に付着した水滴を吹き飛ばし乾燥させる手乾燥装置がある。手乾燥装置の主な設置場所は、手洗い設備など多湿で細菌やウイルスが多く発生しやすい場所の近傍であることが多いため、手に噴射する高速空気流の塵埃等を除去、殺菌し、消臭する空気清浄手段を備えた手乾燥装置が提案されている。このようなものとして、「空気中の粗ゴミ、塵、埃、細菌及びウィルス等の微生物を除去、殺菌し、消臭する空気清浄手段と、上記清浄空気を圧縮乾燥、温度調節、消臭し、連続して供給する空気圧縮手段と、上記圧縮空気を竜巻状にして噴き付ける噴射手段とを着脱可能に独立して設けていることを特徴とするハンドドライヤー」がある（例えば、特許文献１参照）。
【０００３】
【特許文献１】特開２００５−１７７４０９号公報（第３頁、図１）
【発明の開示】
【発明が解決しようとする課題】
【０００４】
上記特許文献１の方法によれば、手に噴射される高圧空気流は、空気清浄手段により清浄化されている。しかし、手乾燥装置の主な設置場所は例えばトイレなど手洗い設備の近傍であり、閉鎖的かつ多湿である場合が多く、塵埃や細菌、ウイルスなども多く発生しやすい。手乾燥装置は一般に周囲の空気を吸い込んでこれを高圧空気流に加工して噴射するが、上述のような場所で使用すると、地面や壁、空気中に存在する塵埃やウイルス、細菌などを巻き上げてしまう可能性がある。こうなると、使用者の衣服に塵埃やウイルス、細菌が付着したり、使用者がこれらを吸い込んでしまう可能性があった。
【０００５】
本発明は、上記のような課題を解決するためになされたもので、手乾燥装置から噴出される高圧空気流を清浄化するとともに、手乾燥装置の設置場所の空気を清浄にすることのできる手乾燥装置を提供するものである。
【課題を解決するための手段】
【０００６】
本発明に係る手乾燥装置は、空気流を発生させる第一の送風機、及び前記第一の送風機により発生された空気流が噴出される手挿入部とを備えた本体部と、前記手挿入部近傍に開口した第一の吸気口、前記第一の吸気口から吸い込んだ空気を前記第一の送風機の上流側に導く通風路、及び前記通風路に設けられて前記第一の吸気口から吸い込んだ空気を清浄化する空気清浄機能部を備えた空気清浄ユニットとを有するものである。
【発明の効果】
【０００７】
本発明の手乾燥装置は、空気清浄ユニットを備えたので、手に噴出される高圧空気流を清浄化するとともに、手乾燥装置の設置場所の空気を清浄にすることができる。
【発明を実施するための最良の形態】
【０００８】
実施の形態１．
図１は本発明の実施の形態１に係る手乾燥装置１００の外観斜視図、図２は手乾燥装置１００の正面断面模式図である。本実施の形態１では、壁面等に設置されて上下方向に手を抜き差しして乾燥させる手乾燥装置を例に説明する。なお、図２において、Ｗ１〜Ｗ３で示す矢印は、空気の流れである空気流を示す。また、手乾燥装置１００は左右対称の構成であるので、図２では片側のみ符号を付している。
【０００９】
図１及び図２において、手乾燥装置１００は、装置の外殻を構成するとともに上面側に開口を有する凹型の手挿入部２が設けられた本体１を有する。手挿入部２の側方は、開放されている（側壁を有していない）か、手挿入部２内の空気を側方へ逃がすためのスリットあるいは穴が形成された側壁により覆われている。本体１の内部には、高圧空気流を発生する高圧空気流発生装置である送風機３が備えられており、手挿入部２の壁面に設けられたノズル４から送風機３で発生した高圧空気流を噴出する。なお、ノズル４は、手挿入部２に挿入した手の表面及び裏面に付着した水滴を効率よく除去できるように、手挿入部２の正面側及び背面側の両方の壁面に設けられている。図１及び図２ではノズル４が丸穴ノズルである場合を例に説明するが、スリット型など他の形状のノズルを用いてもよく、また、ノズル４の数も任意である。また、送風機３の上流側には圧力センサ１６が設けられ、送風機３の近傍には送風機３の温度を検出するための温度センサ８が設けられている。手挿入部２の下方には、手から吹き飛ばされた水滴をドレン容器５へと導く排水路７が設けられている。ドレン容器５は本体１から取り外し可能であり、使用者はドレン容器５を取り外して溜まった水を廃棄することができる。また、本体１の上部には、光や音声などによる報知を行う報知手段１９が設けられている。
【００１０】
本体１の両側面には、空気清浄ユニット２００が設けられている。空気清浄ユニット２００には、上面に複数の開口部を有する吹出流吸気口１０と、吹出流吸気口１０に接続された通風路１１が形成されている。通風路１１内には、空気清浄機能部としてロールフィルタ１２と脱臭フィルタ１４が順に設置され、ロールフィルタ１２の近傍にはロールフィルタ１２の掃除を自動的に行う掃除装置１３が設けられている。また、ロールフィルタ１２及び脱臭フィルタ１４は、通風路１１の側面に設けられたフィルタ装着口１８から取り外しあるいは装着可能に設置されている。ロールフィルタ１２及び脱臭フィルタ１４の上流側には、圧力センサ１５が設けられている。通風路１１の下流側は、送風機３の上流側に開口した通風路開口部１７が形成されている。なお、本発明の空気清浄ユニットにおいては、本体部に近い側（接した側）を内側、本体部に遠い側を外側と称する。
【００１１】
吹出流吸気口１０は、手挿入部２の両側に設けられており、上方に向けて開口している。ノズル４により手挿入部２へ噴出された高圧空気流の一部は手挿入部２の外部へ流出するが、このとき手から吹き飛ばされた水滴を含む高圧空気流の出口となる位置の近傍に吹出流吸気口１０が位置している。したがって、吹出流吸気口１０は手挿入部２から流出した水滴を含む高圧空気流を吸い込むことができる。吹出流吸気口１０の上面は内側が高く外側が低くなるように斜めに形成されているとともに、複数に区画された開口部を有している。吹出流吸気口１０の上面は斜めに形成されているので、ティッシュペーパーや紙くずなどのゴミを載せられたとしても床面等に落下してこれらのゴミにより吹出流吸気口１０が塞がれることはなく、開口部は複数に区画されているので大きなゴミが吹出流吸気口１０内に侵入することもない。
手挿入部２の側方が開放されている（側壁を有していない）場合には、吹出流吸気口１０は手挿入部２の底面とほぼ同じ高さかこれより低い位置に設けることができる。また、手挿入部２が側壁を有する場合には、側壁に設けられたスリットあるいは穴のうち最も低い位置にあるものとほぼ同じ高さかこれより低い位置い設けることができる。このようにすれば、吹出流吸気口１０が手挿入部２の側方の開放部分あるいは側壁のスリットや穴を塞ぐことがない。
【００１２】
通風路１１は、本体１の両側壁に沿うようにして本体１の両側に設けられている。通風路１１は、吹出流吸気口１０と送風機３の上流側とを結ぶ風路を形成しており、その上部から下部までがほぼまっすぐとなっている。このようにすることで、通風路１１内での空気流の圧力損失を抑制することができる。
【００１３】
送風機３の上流側と吹出流吸気口１０は通風路１１により結ばれているので、送風機３が駆動することにより吹出流吸気口１０には吸引力が生じる。そして、この吸引力により、手挿入部２の側方から流出した水滴を含む空気を吸い込むことができる。
【００１４】
ロールフィルタ１２は、通風路１１を通って送風機３へと供給される空気に含まれる水滴や塵埃を捕集する。ロールフィルタ１２は、通風路１１において外側が高くなるようにして斜めに設置されている。また、ロールフィルタ１２の近傍には、ロールフィルタ１２の掃除を自動的に行う掃除装置１３が設けられている。
【００１５】
図３は、ロールフィルタ１２及び掃除装置１３の構成を示し、図３（Ａ）は側面模式図、図３（Ｂ）は上面図である。図３において、ロールフィルタ１２は、ロール状に形成された圧力損失の少ないフィルタ部１２ａと、上下に設けられた加熱脱水回転軸１２ｂとを備える。フィルタ部１２ａは、加熱脱水回転軸１２ｂに巻き付けられてこれを軸として一定方向に回転可能である。加熱脱水回転軸１２ｂは通電により加熱することができ、この熱によりフィルタ部１２ａに付着した水滴を蒸発させることができる。したがって、フィルタ部１２ａに付着した水滴によりカビが発生するのを防ぐことができる。なお、加熱脱水回転軸１２ｂによる加熱は、常時行ってもよいが、所定時刻、あるいは所定時間おきに加熱することとしてもよい。また、ロールフィルタ１２は、傾き角度θとなるように斜めに設置されており、ロールフィルタ１２で捕集した比較的大きな塵等は、排水路７へと自然に落下することができ、ロールフィルタ１２上に塵が蓄積するのを防ぐことができる。
【００１６】
掃除装置１３は、下側の加熱脱水回転軸１２ｂに接続された支持枠１３ａと、円筒状にブラシ毛が植え込まれたブラシ部１３ｂと、ブラシ部１３ｂを軸通してブラシ部１３ｂを回転させる軸部１３ｃと、ブラシ部１３ｂと略平行に形成されたヘラ部１３ｄとを備えている。ブラシ部１３ｂは、そのブラシ毛が前述のフィルタ部１２ａに接する位置に配置されている。また、ヘラ部１３ｄには、所定間隔で略三角形状に形成された歯部１３ｅが設けられている。歯部１３ｅは、ブラシ部１３ｂのブラシ毛の半分以上深くに入り込むような大きさ及び位置で形成されている。
【００１７】
このように構成されたロールフィルタ１２及び掃除装置１３において、ロールフィルタ１２のフィルタ部１２ａは常に一定速度で回転しながら、通風路１１により導かれた空気に含まれる水滴や塵埃を捕集する。掃除装置１３のブラシ部１３ｂもまた、フィルタ部１２ａの回転速度よりも遅い速度で常に回転し、ブラシ部１３ｂのブラシ毛はフィルタ部１２ａに接しているので、フィルタ部１２ａに付着した塵埃等をそのブラシ毛によって掻き落とすことができる。また、ブラシ部１３ｂに付着した塵埃等は、ブラシ部１３ｂに入り込むように形成された歯部１３ｅによってブラシ毛を梳かすようにして掻き出される。そして、ブラシ部１３ｂ及び歯部１３ｅによって掻き出された塵埃は、排水路７を通ってドレン容器５へ集められ、ドレン容器５に溜まった水とともに廃棄することができる。
【００１８】
脱臭フィルタ１４は、ロールフィルタ１２を通過した空気を脱臭するためのフィルタであり、ロールフィルタ１２の下流側に、ロールフィルタ１２と同様にして通風路１１に斜めに設置されている。
【００１９】
図４は、脱臭フィルタ１４の構成を示す横断面模式図である。脱臭フィルタ１４は、上下２枚の面板１４ａの間に、蜂の巣状の芯材１４ｂが厚さ方向に挿入され、これらを接着して構成されている。芯材１４ｂは、脱臭フィルタ１４を所定の角度θに傾けたときに、ほぼ垂直となるように形成されている（以下、脱臭フィルタ１４の構造を斜めハニカム構造と称する場合がある）。したがって、脱臭フィルタ１４を通風路１１に取り付けたときに、脱臭フィルタ１４内における風路をほぼまっすぐにすることができ、脱臭フィルタ１４における圧力損失を抑制することができる。
【００２０】
圧力センサ１５と圧力センサ１６は、真空度を検出することのできるセンサである。圧力センサ１５はロールフィルタ１２及び脱臭フィルタ１４の上流側に、圧力センサ１６はロールフィルタ１２及び脱臭フィルタ１４の下流側でかつ送風機３の上流側に設置されている。本体１の図示しない制御部Ｘは、圧力センサ１５と圧力センサ１６の出力値を取得してこれらの差分を求め、差分をロールフィルタ１２と脱臭フィルタ１４による圧力損失の値とする。なお、圧力センサ１６は送風機３の上流側に設けられているので送風機３の駆動による影響を受けることなく圧力を検出でき、正確にロールフィルタ１２及び脱臭フィルタ１４による圧力損失を算出することができる。ロールフィルタ１２や脱臭フィルタ１４に塵埃が付着するとフィルタに目詰まりが生じ、圧力損失の値も大きくなる。したがって、圧力損失の値が大きい場合には、ロールフィルタ１２や脱臭フィルタ１４に劣化が生じていると判断する。
【００２１】
温度センサ８は送風機３の温度を検知する温度センサであり、その出力は前述の図示しない制御部Ｘに入力される。制御部Ｘは、温度センサ８の出力に基づいて送風機３の温度上昇を検知し、温度センサ８の出力が所定温度以上になったときには、送風機３に異常が生じていると判断する。
【００２２】
次に、手乾燥装置１００の動作について説明する。
図５は、手乾燥装置１００の動作フローである。図５では、手乾燥装置１００に電源が通電された状態を前提に説明し、圧力損失のことを圧損と表記している。
【００２３】
（Ｓ４０）
手乾燥装置１００に電源が通電された状態で、使用者が手挿入部２に手を挿入すると、図示しないセンサがこれを感知し、手乾燥装置１００は運転を開始する。
（Ｓ４１）
制御部Ｘは、圧力センサ１５と圧力センサ１６の出力の差分を求め、この差分によって得られる圧力損失の値が予め設定された閾値Ａを超えているか否か判断する。図２では、本体１の左右両側に圧力センサが１５が設けられており、左右それぞれ別個に差分を求めて判断する。そして、圧力損失の値が閾値Ａを超えている場合にはステップＳ４２へ、超えていない場合にはステップＳ４３へ進む。
【００２４】
（Ｓ４２）
前記圧力損失が閾値Ａを超えている場合には、ロールフィルタ１２及び脱臭フィルタ１４に塵埃が付着するなどして劣化が生じていると判断し、ロールフィルタ１２及び脱臭フィルタ１４を点検するよう報知手段１９により報知する。報知方法としては、ランプなどによる視覚的な報知、あるいはブザー音や音声メッセージなどによる聴覚的な報知など、任意の方法によって行うことができる。また、視覚的な報知と聴覚的な報知とを組み合わせて用いることもできる。前述したようにロールフィルタ１２は掃除装置１３によって自動的に清掃されているが、長期間の使用によりロールフィルタ１２には劣化が生じてしまう。このような場合でも、使用者に対してロールフィルタ１２及び脱臭フィルタ１４を点検するよう報知することで、ロールフィルタ１２及び脱臭フィルタ１４の清掃あるいは交換を促すことができる。
【００２５】
（Ｓ４３）
前記圧力損失が閾値Ａを超えていない場合には、温度センサ８の出力に基づいて送風機３の温度を検知する。そして、送風機３の温度が予め設定された閾値Ｂを超えているか否か判断し、超えている場合にはステップＳ４４へ、超えていない場合にはステップＳ４５へ進む。
【００２６】
（Ｓ４４）
送風機３の温度が閾値Ｂを超えている場合には、送風機３に異常が生じていると判断し、送風機３を点検するよう報知手段１９により報知する。報知方法としては、前述のロールフィルタ１２及び脱臭フィルタ１４の点検を報知するのと同様に、視覚的な報知、聴覚的な報知、あるいはこれらの組み合わせを用いることができる。また、ランプにより報知を行う場合には、ロールフィルタ１２及び脱臭フィルタ１４の点検報知と送風機３の点検報知とを１つのランプを用い、報知内容によってランプの発光色を違えることとしてもよい。このようにすることで、報知部を簡易に構成することができるとともに、使用者に対して報知内容を適切に伝えることができる。
【００２７】
（Ｓ４５）
送風機３の温度が閾値Ｂを超えていない場合には、送風機３の累積運転時間が予め設定された閾値Ｃを超えているか否か判断する。送風機３は運転時間が長くなると徐々に劣化が進むので、累積運転時間によって劣化しているかどうか判断することができる。そして、累積運転時間が閾値Ｃを超えていない場合にはステップＳ４８へ、超えている場合にはステップＳ４６へ進む。
【００２８】
（Ｓ４６）
送風機３の累積運転時間が閾値Ｃを超えている場合には、送風機３に劣化が生じているものと判断し、送風機３に経年劣化が生じていることを報知手段１９により報知する。報知方法としては、前述のロールフィルタ１２及び脱臭フィルタ１４の点検を報知するのと同様に、視覚的な報知、聴覚的な報知、あるいはこれらの組み合わせを用いることができる。また、ランプにより報知を行う場合には、ロールフィルタ１２及び脱臭フィルタ１４の点検報知、送風機３の点検報知、送風機３の経年劣化報知とを１つのランプを用い、報知内容によってランプの発光色を違えることとしてもよい。このようにすることで、報知部を簡易に構成することができるとともに、使用者に対して報知内容を適切に伝えることができる。
【００２９】
（Ｓ４７）
送風機３の経年劣化を報知してから所定時間が経過した後は、送風機３が作動しないよう停止させる。このようにすることで、送風機３に経年劣化が生じた状態で運転し続けることがなく、経年劣化に伴う不具合が生じるのを防ぐことができる。
【００３０】
（Ｓ４８）
送風機３の累積運転時間が閾値Ｃを超えていない場合には、送風機３の作動を開始して高圧空気流を発生させ、手乾燥運転を行う。このときの送風機３の回転数は、ステップＳ４１で検出した圧力損失の値に基づいて決定する。
【００３１】
ここで、圧力損失と送風機３の回転数の関係について説明する。
図６は、一定の風量を確保するために必要な送風機３の回転数と圧力損失との関係を示すグラフである。横軸は送風機３に供給される空気の圧力損失であり、縦軸は送風機３の回転数を示す。送風機３は、手挿入部２に挿入された手の水滴を適切に吹き飛ばすことができるよう、一定の風量の高圧空気流を発生させる必要がある。したがって、圧力損失が大きい場合には、図６に示すように送風機３の回転数を上昇させて運転する。
【００３２】
したがって、ステップＳ４８の手乾燥運転においては、ステップＳ４１で検出した圧力損失の値に応じて送風機３の回転数を制御し、圧力損失が大きい場合には送風機３の回転数を上げる。送風機３は所定の回転数で運転することにより、一定の風量の高圧空気流を発生することができ、手挿入部２に挿入された使用者の手に付着した水滴を適切に吹き飛ばすことができる。
【００３３】
以上のように構成された手乾燥装置１００の手乾燥運転の動作の詳細について説明する。使用者が手挿入部２へ手を入れると、図示しないセンサが手を検知して送風機３が作動する。送風機３が作動すると、空気流Ｗ１で示すように、空気が吹出流吸気口１０から通風路１１へと吸い込まれる。空気流Ｗ１は、本体１に近いほど小さく、遠いほど大きい。そして、ロールフィルタ１２を通過するときに空気中の塵埃や水滴が除去されるとともに脱臭フィルタ１４により脱臭され、清潔な空気流Ｗ２が通風路開口部１７を経て送風機３に吸い込まれて高圧空気流に加工される。そして、この清潔な高圧空気流Ｗ３は、ノズル４により手挿入部２内に噴出され、濡れた手に当たり、手に付着していた水滴を吹き飛ばして手を乾燥させる。このように、手には空気清浄ユニット２００により清浄化された空気を噴射することができるので、衛生的である。
【００３４】
手から吹き飛ばされた水滴は、手挿入部２内に付着して下方に流れてドレン容器５へと流れ込むとともに、一部は高圧空気流とともに手挿入部２の外部へと流出する。手挿入部２の側方が開放されている（側壁を有していない）タイプのものであればこの開放部分から水滴が流出し、側壁を有するタイプのものであれば側壁に形成されたスリットあるいは穴から水滴が流出する。このとき手から吹き飛ばされた水滴を含む空気の流出箇所となる位置に吹出流吸気口１０が開口しているので、手から吹き飛ばされた水滴は高圧空気流とともに再び吹出流吸気口１０に吸い込まれる。したがって、手から吹き飛ばされた水滴が手乾燥装置１００の周囲へ飛び散るのを防ぐことができる。また、水滴を含んだ空気が通風路１１へと流れ込むが、前述の通りロールフィルタ１２により除塵、除湿されるとともに脱臭フィルタ１４により脱臭されるので、清潔な空気流Ｗ２として送風機３へと供給されることとなる。
【００３５】
また、手挿入部２へと噴射された高圧空気流の一部は、手挿入部２の上部などから手乾燥装置１００の外部へと流出する。したがって、この流出した清潔な高圧空気流により、手乾燥装置１００を設置した環境の空気をも清浄化することができる。
【００３６】
また、使用者が手挿入部２に手を入れたときのみ送風機３を作動させるのではなく、所定の時刻、あるいは所定時間おきに、送風機３を自動的に作動させることとしてもよい。このようにすることで、使用者が手乾燥装置１００を使用していない場合でも、室内の空気を清浄化することができる。この際、手を乾燥させる場合よりも送風機３の回転数を下げて作動させることで、送風機３の作動音を小さくすることができ、室内環境における騒々しさを軽減することができる。
【００３７】
図７は、空気清浄ユニット２００を備えた手乾燥装置１００による臭気（アンモニア）除去性能を示すグラフである。図７において、（Ａ）はある室内環境におけるアンモニア濃度の推移を示し、（Ｂ）は（Ａ）と同じ室内環境に手乾燥装置１００を設置して送風機３を連続運転させた場合のアンモニア濃度を示す。図７（Ａ）に示すように、一定の時間が経過するとアンモニア濃度は約１．２５ｐｐｍまで上昇するが、手乾燥装置１００の送風機３を連続運転させると、アンモニア濃度は約０．２５ｐｐｍのまま上昇することはない。このように、手乾燥装置１００を用いることで室内のアンモニアを除去することができ、室内環境を良好に保つことができる。
【００３８】
以上のように本実施の形態１の手乾燥装置１００によれば、空気清浄ユニット２００を設けたので、除塵、除湿、脱臭された清浄な空気を送風機３に供給でき、この清浄な空気を高圧空気流として手に噴射することができ、衛生性を向上させることができる。また、噴射された清潔な高圧空気流が室内の空気に拡散することにより、室内環境の空気を清浄化して衛生性を向上させることができる。また、空気清浄ユニット２００に空気を吸い込む駆動源には送風機３を用いるので、簡易に手乾燥装置１００を構成することができる。
【００３９】
また、本体１の側面に手挿入部２近傍に開口した吹出流吸気口１０を備えたので、手挿入部２で手から吹き飛ばされた水滴を吹出流吸気口１０で回収することができる。したがって、手乾燥装置１００の周囲に水滴が飛散するのを防ぐことができる。また、吹出流吸気口１０から吸い込んだ空気を送風機３の上流側へと導く通風路１１を設けたので、送風機３の駆動により通風路１１を通じて吹出流吸気口１０における吸引力を生じさせて空気を吸い込むことができる。したがって、手挿入部２から吹き飛ばされた水滴を含む空気を確実に回収することができ、周囲に水滴を飛散させるのを防ぐことができる。
【００４０】
また、通風路１１は吹出流吸気口１０と送風機３とを結ぶほぼまっすぐの風路に形成されているので、通風路１１内での圧力損失を抑制することができる。さらに、ロールフィルタ１２と脱臭フィルタ１４を斜めに取り付け、脱臭フィルタ１４は斜めハニカム構造としたので、ロールフィルタ１２と脱臭フィルタ１４による圧力損失も抑制することができる。このように吹出流吸気口１０から送風機３に至る風路における圧力損失を抑制することにより、送風機３に効率よく空気を供給することができる。このため、送風機３を高効率で稼働させることができるとともに、送風機３の劣化を抑止することができる。
【００４１】
また、ロールフィルタ１２及び脱臭フィルタ１４による圧力損失が所定の値を超えた場合には点検を促す報知を行うようにしたので、使用者に対してロールフィルタ１２及び脱臭フィルタ１４の点検、清掃あるいは交換を促すことができる。前述の通り手乾燥運転においては圧力損失の値に応じて送風機３の回転数を制御するが、送風機３の回転数を上昇させると、消費電力も上昇するとともに、送風機３の運転に伴う騒音も大きくなり使用者に不快感を与えてしまう。また、送風機３の回転数が一定の回転数を超えた場合には、送風機３の劣化が生じやすくなってしまう。したがって、適切なタイミングでロールフィルタ１２及び脱臭フィルタ１４の点検を促すことにより、一定の風量を保つことができるとともに、送風機３の劣化を抑止することができる。
【００４２】
また、ロールフィルタ１２及び脱臭フィルタ１４による圧力損失状況に応じて送風機３の回転数を制御するようにしたので、送風機３により発生する高圧空気流の風量を一定に保つことができる。また、送風機３の近傍に設けた温度センサ８の出力により送風機３の異常を検知し、異常が生じた場合には点検を促す報知を行うようにしたので、使用者はこの報知に従って送風機３を適切に点検することができる。
【００４３】
なお、本実施の形態１では、掃除装置１３を常時運転する場合の例について説明したが、掃除装置１３は常時運転せずともよい。例えば、使用者が手乾燥装置１００の使用を終了したとき（送風機３の運転を停止した）のみあるいは使用を終了する何回か毎に掃除装置１３を運転してもよい。このようにすることで、掃除装置１３の運転に要するエネルギー消費量を低減しつつ、使用者によるメンテナンスの手間を省くことができる。
【００４４】
実施の形態２．
図８は、本発明の実施の形態２に係る手乾燥装置１２０の正面断面模式図である。図８において、Ｗ１〜Ｗ５で示す矢印は、空気の流れである空気流を示す。なお、前述の実施の形態１と同一部分には同じ符号を付している。また、手乾燥装置１２０は左右対称の構成であるので、図８では片側のみ符号を付している。なお、本発明において、第一の吸気口は吹出流吸気口２０に、第二の吸気口は吸気口２８に対応する。
【００４５】
本実施の形態２に係る手乾燥装置１２０の両側面には、空気清浄ユニット２２０が設けられている。空気清浄ユニット２２０は、上面に複数の開口部を有する吹出流吸気口２０と、吹出流吸気口２０に接続された通風路２１が形成されている。通風路２１の外側の側面の上方には、空気を吸い込むことのできる吸気口２８が形成されている。また、通風路２１内には、プリーツフィルタ２２、脱臭フィルタ１４が順に設置され、その下側（下流側）には圧力センサ２６、さらに下側（下流側）には静音ファン４０が設置されている。
【００４６】
吹出流吸気口２０は、手挿入部２の側面の凹型部分から流出した水滴を含む高圧空気流を吸い込むことができる位置に開口しており、その開口部はほぼ水平に形成されている。また、吹出流吸気口２０は、その上面を防塵蓋２９により覆われている。防塵蓋２９は、吹出流吸気口２０の内側と外側にそれぞれヒンジで回動可能に固定されている。防塵蓋２９は、送風機３が作動していないときには吹出流吸気口２０の上面を覆っており、送風機３が作動を開始すると自動的に起立するとともにさらに回転して通風路２１の側面に接し、吸気口２８を閉塞する。また、送風機３が作動を停止すると自動的に回転して再び吹出流吸気口２０の上面を覆う。即ち、送風機３が停止しているときには吸気口２８から空気を吸い込むことができるが、送風機３が作動しているときには吸気口２８から空気を吸い込むことができない。
【００４７】
通風路２１は、吹出流吸気口２０と送風機３の上流側とを結ぶ風路を形成しており、その上部から下部までがほぼまっすぐとなっている。
【００４８】
吸気口２８は、通風路２１の外側の側面に開口している。吸気口２８は、送風機３が停止しているときには開口した状態となっているが、送風機３が作動しているときには前述の通り防塵蓋２９によりその開口を閉塞される。
【００４９】
プリーツフィルタ２２は、ジグザグ状に折りたたまれた不織布等の繊維フィルタで構成されている。図９は、プリーツフィルタ２２の斜視図である。また、プリーツフィルタ２２の表面はフッ素などでコーティングされて撥水性を有している。プリーツフィルタ２２は、通風路２１において外側が上部、内側が下部となるようにして斜めに設置されている。プリーツフィルタ２２は、通過しようとする空気に含まれる水滴をその表面で捕集し、捕集された水滴は撥水性のある表面を伝って自重により徐々に下方へ移動する。プリーツフィルタ２２の下部は排水路７の真上に位置しており、水滴はプリーツフィルタ２２から落下して排水路７に入り、ドレン容器５で回収される。
【００５０】
圧力センサ２６は、真空度を検出することのできるセンサであり、脱臭フィルタ１４の下流側でかつ静音ファン４０の上流側に設置されている。圧力センサ１５と圧力センサ２６の出力の差により両者に挟まれたプリーツフィルタ２２と脱臭フィルタ１４による圧力損失が算出される。
【００５１】
静音ファン４０は、吹出流吸気口２０または吸気口２８にける吸引力を生じさせるとともに、吸引した空気を送風機３の上流側へ送って送風機３へ供給するためのファンであり、低騒音で運転することができる。なお、本発明の第二の送風機は、静音ファン４０に相当する。
【００５２】
また、図８において、本体１の下部には排気口４１が設けられている。排気口４１は、静音ファン４０の下流側でかつ、送風機３の上流側の風路に位置している。
図１０は、排気口４１の断面模式図である。排気口４１は、ヒンジ部４１ａに支持された扉４１ｂによってその開口部が覆われている。扉４１ｂは、ヒンジ部４１ａを軸として本体１の外側方向に回動可能となっている。静音ファン４０が動作を開始して吹出流吸気口２０あるいは吸気口２８から空気を吸い込むと、静音ファン４０の下流側（送風機３の上流側）の気圧が高くなるので、本体１外部との気圧差により扉４１ｂは自動的に本体１の外側方向に回動し、本体１の内側から外側へと排気される。
【００５３】
以上のように構成された手乾燥装置１２０の動作について説明する。手乾燥装置１２０は、手を乾燥するための手乾燥運転と、室内環境の空気を清浄化する空気清浄運転の２つの運転モードを有する。手乾燥装置１２０は、使用者が手挿入部２に手を入れていないときには空気清浄運転を行い、手挿入部２に手を入れているときには手乾燥運転を行う。
【００５４】
手乾燥運転において、手挿入部２へ手を入れると図示しないセンサが手を検知して送風機３が作動する。同時に、防塵蓋２９が開かれて吹出流吸気口２０が開口し、空気流Ｗ１で示すように空気が吸い込まれて通風路２１へと入る。このとき、吸気口２８は防塵蓋２９によって塞がれているので、吹出流吸気口２０から効率よく吸気することができる。そして、プリーツフィルタ２２を通過するときに空気中の塵埃や水滴が除去されるとともに、脱臭フィルタ１４により脱臭され、清潔な空気流Ｗ２が送風機３に吸い込まれて高圧空気流に加工される。そして、この清潔な高圧空気流Ｗ３は、ノズル４により手挿入部２内に噴出され、濡れた手に当たり、手に付着していた水滴を吹き飛ばして手を乾燥させる。このように、手には除塵、除湿、脱臭された清潔な空気を噴射することができるので、衛生的である。
【００５５】
手から吹き飛ばされた水滴は、手挿入部２内に付着して下方に流れてドレン容器５へと流れ込むとともに、一部は高圧空気流とともに手挿入部２の外部へと流出する。このとき手から吹き飛ばされた水滴を含む空気の流出箇所となる位置に吹出流吸気口２０が開口しているので、手から吹き飛ばされた水滴は高圧空気流とともに再び吹出流吸気口２０に吸い込まれる。したがって、手から吹き飛ばされた水滴が手乾燥装置１２０の周囲へ飛び散るのを防ぐことができる。また、水滴を含んだ空気が通風路２１へと流れ込むが、前述の通りプリーツフィルタ２２により除塵、除湿されるとともに脱臭フィルタ１４により脱臭されるので、清潔な空気流Ｗ２として送風機３へと供給される。
【００５６】
次に、手挿入部２へ手を入れていないとき、即ち、送風機３が作動していないときにおける、空気清浄運転について説明する。空気清浄運転を行うときには、静音ファン４０が作動する。このとき吹出流吸気口２０は防塵蓋２９により塞がれており、吸気口２８から空気流Ｗ４で示すように空気が吸い込まれて通風路２１へと入る。そして、プリーツフィルタ２２及び脱臭フィルタ１４により除湿、除塵、脱臭された清潔な空気流Ｗ２が、静音ファン４０の下流側へ移動する。送風機３は作動していないので、送風機３による吸引力は発生せず、静音ファン４０によって送られた空気流Ｗ２は、排気口４１から手乾燥装置１２０の外部へ空気流Ｗ５として流出し、拡散する。したがって、空気清浄運転を行うことにより、手乾燥装置１２０が設置された室内環境の空気を清浄化することができる。
【００５７】
本実施の形態２においても、前述の実施の形態１と同様に、圧力センサ１５と圧力センサ２６の出力値によりプリーツフィルタ２２と脱臭フィルタ１４による圧力損失を算出して、必要な報知等を行う。
図１２は、空気清浄運転時における、プリーツフィルタ２２及び脱臭フィルタ１４の劣化検知処理及び静音ファン４０の異常検知処理を示すフローチャートである。以下、図１２に基づいて処理内容を説明する。なお、図１２では、圧力損失のことを圧損と表記している。
【００５８】
（Ｓ５０）
手乾燥装置１２０に電源が通電されると、空気清浄運転を開始する。
（Ｓ５１）
圧力センサ１５と圧力センサ２６との出力の差分を求め、この差分によって得られる圧力損失の値が予め設定された閾値Ａを超えているか否か判断する。そして、圧力損失の値が閾値Ａを超えている場合にはステップＳ５２へ、超えていない場合にはステップＳ５３へ進む。
【００５９】
（Ｓ５２）
前記圧力損失が閾値Ａを超えている場合には、プリーツフィルタ２２及び脱臭フィルタ１４に劣化が生じていると判断し、前述の実施の形態１と同様にしてプリーツフィルタ２２及び脱臭フィルタ１４を点検するよう報知手段１９により報知する。
【００６０】
（Ｓ５３）
前記圧力損失が閾値Ａを超えていない場合には、温度センサ２７の出力に基づいて静音ファン４０の温度を検知する。そして、静音ファン４０の温度が予め設定された閾値Ｄを超えているか否か判断し、超えている場合にはステップＳ５４へ、超えていない場合にはステップＳ５５へ進む。
【００６１】
（Ｓ５４）
静音ファン４０の温度が閾値Ｄを超えている場合には、静音ファン４０に異常が生じていると判断し、静音ファン４０を点検するよう報知手段１９により報知する。報知方法としては、前述の実施の形態１と同様である。
【００６２】
（Ｓ５５）
静音ファン４０の温度が閾値Ｄを超えていない場合には、静音ファン４０の累積運転時間が予め設定された閾値Ｅを超えているか否か判断する。静音ファン４０は運転時間が長くなると徐々に劣化が進むので、累積運転時間によって劣化しているかどうか判断することができる。そして、累積運転時間が閾値Ｅを超えていない場合にはステップＳ５８へ、超えている場合にはステップＳ５６へ進む。
【００６３】
（Ｓ５６）
静音ファン４０の累積運転時間が閾値Ｅを超えている場合には、静音ファン４０に劣化が生じているものと判断し、静音ファン４０に経年劣化が生じていることを報知手段１９により報知する。報知方法は、前述の実施の形態１と同様である。
【００６４】
（Ｓ５７）
静音ファン４０の経年劣化を報知してから所定時間が経過した後は、静音ファン４０が作動しないよう停止させる。このようにすることで、送風機３に経年劣化が生じた状態で運転し続けることがなく、経年劣化に伴う不具合が生じるのを防ぐことができる。
【００６５】
（Ｓ５８）
静音ファン４０の累積運転時間が閾値Ｅを超えていない場合には、静音ファン４０の作動を開始して空気清浄運転を行う。このときの静音ファン４０の回転数は、ステップＳ４１で検出した圧力損失の値に基づいて決定する。前述の実施の形態１で述べた通り、静音ファン４０の上流側での圧力損失が多い場合には、下流側に一定の風量を確保するためには静音ファン４０の回転数を上げる必要がある。
【００６６】
このように、空気清浄運転時は、プリーツフィルタ２２及び脱臭フィルタ１４により生じる圧力損失を検出するとともに、静音ファン４０の異常も検出して報知するので、手乾燥装置１２０を効率よく安全に運転することができる。なお、手乾燥時は、前述の実施の形態１の図５と同様の処理を行う。
【００６７】
以上のように本実施の形態２によれば、手乾燥運転を行わないときには空気清浄運転を行うので、手乾燥装置１２０が設置された室内環境の空気を清浄化することができる。また、空気清浄運転は、空気清浄ユニット２００に設けた静音ファン４０を駆動源として行うようにしたので、ファンの動作音による騒音が少なく、室内環境を良好に保つことができる。また、手乾燥に使用する高圧空気流は空気清浄ユニット２００で清浄化されており、衛生的である。
【００６８】
なお、本実施の形態２では手乾燥運転を行わないときには常に空気清浄運転を行う場合の例を説明したが、所定の時刻、あるいは一定時間後とに空気清浄運転を行うこととしてもよい。このようにすることで、室内環境の空気を清浄化しつつ、空気清浄運転による消費電力を低減させることができる。もしくは、室内環境で臭いを発生させる所定の物質の量を検出するセンサ、あるいは、湿度センサを設け、このセンサの出力値に応じて空気清浄運転を行うこととしてもよい。このようにすることで、室内環境の特性に応じた空気清浄運転を行うことができる。
【００６９】
実施の形態３．
図１２は、本発明の実施の形態３に係る手乾燥装置１３０を示し、図１２（Ａ）は正面断面模式図、図１２（Ｂ）は本体３３の底面を下から見た図である。図１２において、Ｗ１〜Ｗ３、Ｗ５、Ｗ６で示す矢印は、空気の流れである空気流を示す。なお、前述の実施の形態１または実施の形態２と同一部分には同じ符号を付している。また、手乾燥装置１３０は左右対称の構成であるので、図１２では片側のみ符号を付している。
【００７０】
本実施の形態３に係る手乾燥装置１３０の本体３３の両側面には、着脱可能な空気清浄ユニット２３０が設けられている。本体３３としては一般的なものを用いることができるが、本実施の形態３で示す本体３３は、前述の実施の形態１で述べたのと同じ手挿入部２、送風機３、ノズル４を備えている。本体３３の底面には、ドレン容器３５と本体吸気口３９が設置されている。手挿入部２の下方には排水路３７が設けられ、排水路３７は手挿入部２において手から吹き飛ばされた水滴をドレン容器３５へと導く。
【００７１】
図１２（Ｂ）において、本体３３の底面は、前後で２つに区分されており、手前側にドレン容器３５、後側に本体吸気口３９が設置されている。本体吸気口３９は、送風機３へ供給するための空気を吸い込むためのものであり、プレフィルタ３８を介して送風機３の上流側へ空気を吸い込む。プレフィルタ３８は、吸気口としての本体１の底面か空気を吸うときに塵埃や異物が侵入するのを防ぐためのフィルタであり、圧力損失の少ないフィルタを使うのが望ましい。ドレン容器３５は、手挿入部２において手から吹き飛ばされた水滴を回収するための容器である。ドレン容器３５は本体３３から取り外し可能であり、水が溜まった場合には使用者がドレン容器３５を取り外して廃棄することができる。
【００７２】
空気清浄ユニット２３０には、側面に開口した空気清浄吸気口３０と、空気清浄吸気口３０で吸気した空気を下方へと導く通風路３１、通風路３１の下流側に開口した空気清浄排気口４２が形成されている。空気清浄ユニット２３０は、空気清浄排気口４２は本体吸気口３９の近傍に位置するようにしてネジ等を用いて本体３３に着脱可能に取り付けられており、空気清浄排気口４２からの排気を本体吸気口３９から吸気できる。なお、本発明の第一の吸気口は、空気清浄吸気口３０に相当する。また、通風路３１内には、プリーツフィルタ２２及び脱臭フィルタ１４がフィルタ装着口１８から着脱可能に設置され、これらの下流側には静音ファン４０が設けられている。
【００７３】
以上のように構成された手乾燥装置１３０において、空気清浄ユニット２３０は、手乾燥装置１３０が手乾燥運転を行っているか否かに拘わらず空気清浄運転を常時行う。空気清浄運転において、静音ファン４０が作動すると、空気清浄吸気口３０に吸引力が生じ、空気流Ｗ１で示すように空気が吸い込まれて通風路３１へと入る。そして、プリーツフィルタ２２及び脱臭フィルタ１４により除湿、除塵、脱臭された清浄な空気が、静音ファン４０の下流側へ移動し、空気清浄排気口４２から空気流Ｗ２として流出する。空気流Ｗ２は、空気流Ｗ５として室内環境に拡散するので、手乾燥装置１３０及び空気清浄ユニット２３０が設置された室内環境の空気を清浄化することができる。
【００７４】
手乾燥運転において、手挿入部２へ手を入れると図示しないセンサが手を検知して送風機３が作動する。このとき、送風機３の作動により吸引力が発生し、本体吸気口３９からプレフィルタ３８を通して空気流Ｗ６で示すように空気が吸い込まれて送風機３へと供給される。ここで吸い込まれる空気流Ｗ６は、そのほとんどが空気清浄ユニット２３０により清浄化された空気流Ｗ２であるといえる。したがって、送風機３には清浄な空気が供給されることとなる。送風機３に供給された清浄な空気は高圧空気流に加工されてノズル４により手挿入部２内に噴出され、濡れた手に当たり、手に付着していた水滴を吹き飛ばして手を乾燥させる。手に噴出される高圧空気流は空気清浄ユニット２３０によって清浄化された空気であり、非常に衛生的である。
【００７５】
以上のように本実施の形態３に係る手乾燥装置１３０では、本体３３に着脱可能な空気清浄ユニット２３０を設けたので、室内環境の空気を清浄化することができる。また、空気清浄ユニット２３０により清浄化した空気を用いて手乾燥運転を行うようにしたので、使用者にとって非常に衛生的である。また、空気清浄ユニット２３０を着脱可能な構成としたので、既存の手乾燥装置１３０に取り付けることができ、導入負担を低減させることができる。また、清浄化前の空気を吸う空気清浄吸気口３０と清浄化後の空気を排出する空気清浄排気口４２との間に適度な距離を設けたので、空気清浄ユニット２３０は清浄化した空気をすぐにそのまま吸い込むこともなく、室内環境の空気を効率よく清浄化することができる。
【００７６】
なお、本実施の形態３において、空気清浄ユニット２３０は常時運転する場合の例について説明したが、所定時刻、あるいは所定時間ごとに運転することとしてもよい。このようにすることで、空気清浄運転の消費電力を抑制しつつ、室内環境の空気を清浄化することができる。
【００７７】
また、上記説明では、手を上下に挿抜するタイプの手乾燥装置を例に説明したが、手乾燥装置の本体の形状はこれに限るものではなく、例えば、前後に手を挿抜するタイプのものでもよい。また、手乾燥装置の左右いずれか片側を壁に密着して設置する場合には、本体の両側に空気清浄ユニットを設けるのではなく、片側にのみ設けることとしてもよい。このようにしても同様の効果を得ることができる。
【図面の簡単な説明】
【００７８】
【図１】本発明の実施の形態１を示す手乾燥装置の外観斜視図である。
【図２】本発明の実施の形態１を示す手乾燥装置の断面模式図である。
【図３】本発明の実施の形態１を示すロールフィルタ及び掃除装置の模式図である。
【図４】本発明の実施の形態１を示す脱臭フィルタの側面断面模式図である。
【図５】本発明の実施の形態１を示す手乾燥装置の経年劣化感知フローである。
【図６】圧力損失とモータの回転数の関係を示すグラフである。
【図７】空気清浄ユニットによる臭気除去性能を示すグラフである。
【図８】本発明の実施の形態２を示す手乾燥装置の断面模式図である。
【図９】本発明の実施の形態２を示すプリーツフィルタの斜視図である。
【図１０】本発明の実施の形態２を示す排気口の断面模式図である。
【図１１】本発明の実施の形態２を示す空気清浄ユニットの経年劣化感知フローである。
【図１２】本発明の実施の形態３を示す手乾燥装置の断面模式図である。
【符号の説明】
【００７９】
１  本体、２  手挿入部、３  送風機、４  ノズル、５  ドレン容器、７  排水路、８  温度センサ、１０  吹出流吸気口、１１  通風路、１２  ロールフィルタ、１２ａ  フィルタ部、１２ｂ  加熱脱水回転軸、１３  掃除装置、１３ａ  支持枠、１３ｂ  ブラシ部、１３ｃ  軸部、１３ｄ  ヘラ部、１３ｅ  歯部、１４  脱臭フィルタ、１４ａ  面板、１４ｂ  芯材、１５  圧力センサ、１６  圧力センサ、１７  通風路開口部、１８  フィルタ装着口、１９  報知手段、２０  吹出流吸気口、２１  通風路、２２  プリーツフィルタ、２６  圧力センサ、２７  温度センサ、２８  吸気口、２９  防塵蓋、３０  空気清浄吸気口、３１  通風路、３３  本体、３５  ドレン容器、３７  排水路、３８  プレフィルタ、３９  本体吸気口、４０  静音ファン、４１  排気口、４１ａ  ヒンジ部、４１ｂ  扉、４２  空気清浄排気口、１００、１２０、１３０  手乾燥装置、２００、２２０、２３０  空気清浄ユニット。
【図１】
2010088621.tif 000003
【図２】
2010088621.tif 000004
【図３】
2010088621.tif 000005
【図４】
2010088621.tif 000006
【図５】
2010088621.tif 000007
【図６】
2010088621.tif 000008
【図７】
2010088621.tif 000009
【図８】
2010088621.tif 000010
【図９】
2010088621.tif 000011
【図１０】
2010088621.tif 000012
【図１１】
2010088621.tif 000013
【図１２】
2010088621.tif 000014